(57)【特許請求の範囲】
【請求項１】
複数の通話チャンネルのうちの任意の通話チャンネルを使用して、子機および親機の接続を行うとともに、通話をできるようにしたＭＣＡ方式のコードレス電話機において、
待ち受け状態のとき、上記子機は、上記複数の通話チャンネルのうちの所定の通話チャンネルをモニタする処理と、上記接続の制御を行うマイクロコンピュータを除くすべての回路の電源をオフにするとともに、上記マイクロコンピュータ自身も低消費モードに入る処理とを繰り返し、
上記待ち受け状態から、上記子機と上記親機との一方と他方との間を上記通話チャンネルを通じて接続するとき、
上記一方から見て空いている通話チャンネルを使用して上記他方に対して接続要求のデータを送信し、
上記他方において、上記接続要求のデータの送信されてきた通話チャンネルと対となる通話チャンネルを使用して上記接続要求のデータの送信されてきた通話チャンネルが空いているか使用中であるかを示すデータを返送し、
上記一方において、返送されてきたデータが、上記空いていることを示すまで、通話チャンネルを変更して上記接続要求のデータの送信を繰り返し、
上記一方において、返送されてきたデータが上記空いていることを示しているときには、以後、上記一方および上記他方の間を、その空いている通話チャンネルを通じて接続する
ようにしたコードレス電話機。
【発明の詳細な説明】
【０００１】
【産業上の利用分野】
この発明は、ＭＣＡ方式のコードレス電話機に関する。
【０００２】
【従来の技術】
アメリカのコードレス電話機においては、ＦＣＣにより、通話チャンネルとして、10チャンネルが認可されている。しかし、コードレス電話機の普及にしたがって、通話チャンネルが不足してきたので、さらに15チャンネルが追加され、全部で25チャンネルが使用できる予定である。
【０００３】
また、すべてのチャンネルは、デュプレックス方式とされ、上りチャンネルと下りチャンネルとが対とされている。
【０００４】
【発明が解決しようとする課題】
ところが、アメリカにおけるコードレス電話機は、日本における微弱方式と同様、通話チャンネルだけが用意され、制御チャンネルは用意されていない。このため、子機からの発呼時、問題を生じることがある。
【０００５】
すなわち、今、図３に示すように、ある親機Ｂ1と、これと対となる子機Ｈ1とが、例えば第３チャンネルを使用して接続されているとする。
【０００６】
そして、このとき、親機Ｂ1から送信される下りチャンネルの電波の到達エリアをＡB1とすれば、このエリアＡB1は、親機Ｂ1を中心にして実線で示すほぼ円形のエリアＡB1となり、このエリアＡB1の中に子機Ｈ1が位置していることになる。また、子機Ｈ1から送信される上りチャンネルの電波の到達エリアをＡH1とすれば、このエリアＡH1は、子機Ｈ1を中心にして破線で示すほぼ円形のエリアＡH1となり、このエリアＡH1の中に親機Ｂ1が位置していることになる。
【０００７】
そして、さらに、別の親機Ｂ2が、親機Ｂ1の電波エリアＡB1の外ではあるが、子機Ｈ1の電波エリアＡH1の中にあるとする。また、親機Ｂ2と対となる子機Ｈ2が、エリアＡB1、ＡH1の外に位置しているとする（実際には、親機Ｂ1、Ｂ2は固定局であるから、親機Ｂ1、Ｂ2がもとから図の位置にあり、子機Ｈ1、Ｈ2がそれぞれ図の位置に移動してきたことになる）。
【０００８】
そして、このような状態では、子機Ｈ2から見ると、第３チャンネルは空きチャンネルなので、子機Ｈ2が親機Ｂ2に対して、第３チャンネルを通じて発呼要求（接続要求）をしてきたとする。
【０００９】
しかし、親機Ｂ2から見ると、第３チャンネルは使用中のチャンネルであるから、ＦＣＣの規定により通話に使用することはできず、親機Ｂ2は子機Ｈ2との間に通話チャンネルを開くことができない。
【００１０】
もちろん、子機Ｈ2が、親機Ｂ2に発呼要求をする前に、親機Ｂ2の周囲で第３チャンネルが使用されていることを確認できれば、そのような問題を生じることはない。しかし、子機Ｈ2と親機Ｂ2とでは、位置が異なるのであるから、そのような確認は無理である。
【００１１】
同様の理由により、親機が子機に着呼要求を行う場合、親機から見て空きチャンネルであっても、子機から見ると、使用中のチャンネルのこともあり、やはり、そのままでは、通話チャンネルを開くことができない。
【００１２】
この発明は、このような問題点を解決しようとするものである。
【００１３】
【課題を解決するための手段】
このため、この発明においては、各部の参照符号を後述の実施例に対応させると、
複数の通話チャンネルのうちの任意の通話チャンネルを使用して、子機１および親機２の接続を行うとともに、通話をできるようにしたＭＣＡ方式のコードレス電話機において、
子機１と親機２との一方と他方との間を、通話チャンネルを通じて接続する場合、
一方から見て空いている通話チャンネルを使用して他方に対して接続要求のデータREQを送信し、
他方において、接続要求のデータREQの送信されてきた通話チャンネルと対となる通話チャンネルを使用して接続要求のデータREQの送信されてきた通話チャンネルが空いているか使用中であるかを示すデータを返送し、
一方において、返送されてきたデータが、空いていることを示すまで、通話チャンネルを変更して接続要求のデータREQの送信を繰り返し、
一方において、返送されてきたデータが空いていることを示しているときには、以後、一方および他方の間を、その空いている通話チャンネルを通じて接続する
ようにしたものである。
【００１４】
【作用】
接続要求に使用されたチャンネルが、他のコードレス電話機により使用されている場合には、これが、そのチャンネルを通じて接続要求をしてきた相手に通知され、この結果、空いているチャンネルを通じて子機と親機とが接続される。
【００１５】
【実施例】
図１において、１はコードレス電話機の子機、２は親機、３は電話回線（外線）を示す。そして、子機１において、１１は送話器、１２は自分の音声信号および各種のデータを上りチャンネルのＦＭ信号に変換して送信する送信回路、１３は下りチャンネルのＦＭ信号を受信して相手の音声信号および各種のデータを取り出す受信回路、１４は受話器である。
【００１６】
また、１６はシステム制御用のマイクロコンピュータ、１７は各種の操作キー、１８は着呼を告げるためのリンガである。この場合、マイクロコンピュータ１６のＲＯＭには、そのＣＰＵが実行するプログラムの一部として、例えば図２に示す発呼シーケンス１００の処理プログラムが書き込まれている。そして、マイクロコンピュータ１６により送信回路１２および受信回路１３に対して、各種のデータがアクセスされるとともに、それらの動作が制御される。
【００１７】
一方、親機２も、子機１とほぼ同様に構成されているもので、２２は下りチャンネル用の送信回路、２３は上りチャンネル用の受信回路、２６はシステム制御用のマイクロコンピュータ、２９は回線インターフェイス回路である。
【００１８】
この場合、マイクロコンピュータ２６のＲＯＭには、そのＣＰＵが実行するプログラムの一部として、例えば発呼シーケンス１００の処理プログラムが書き込まれている。また、インターフェイス回路２９は、４線／２線変換回路、回線３の開放・補捉を行うスイッチ回路、着呼時のリンガ信号を検出する検出回路などを有し、マイクロコンピュータ２６に接続されている。
【００１９】
そして、マイクロコンピュータ１６、２６の処理により、コードレス電話機として動作が、以下のように行われる。
【００２０】
［子機１から通話をしている場合］
子機１を使用して外線の相手と通話している場合には、送話器１１からの音声信号が、送信回路１２に供給されて上りの通話チャンネルのＦＭ信号に変換され、このＦＭ信号がアンテナ１０から親機２へと送信される。
【００２１】
そして、親機２において、子機１から送信されてきたＦＭ信号が、アンテナ２０により受信されて受信回路２３に供給され、受信回路２３からは子機１からの音声信号が取り出され、この音声信号がインターフェイス回路２９を通じて回線３へと送り出される。
【００２２】
また、相手からの音声信号が、回線３からインターフェイス回路２９を通じて送信回路２２に供給されて下りの通話チャンネルのＦＭ信号に変換され、このＦＭ信号がアンテナ２０から子機１へと送信される。そして、子機１において、親機２から送信されてきたＦＭ信号が、アンテナ１０により受信されて受信回路１３に供給され、受信回路１３からは相手の音声信号が取り出され、この音声信号が受話器１４に供給される。したがって、子機１を使用して外線の相手との通話を行うことができる。
【００２３】
［待ち受け時の動作］
子機１においては、
(1) ラストチャンネル（前回通話に使用したチャンネル）において、親機２からの着呼要求をモニタする。
(2) イニシャルチャンネル（あらかじめ設定されている固定のチャンネル）において、親機２からの着呼要求をモニタする。
(3) 例えば２秒間、マイクロコンピュータ１６を除くすべての回路の電源をオフにするとともに、マイクロコンピュータ１６自身も低消費モードに入る。
という動作が繰り返されている。
【００２４】
また、親機２においては、
(1) あるチャンネルにおいて、子機１からの発呼要求をモニタする。
(2) (1)項の処理を、25チャンネルのすべてにおいて順番に、かつ、繰り返す。
という動作を行っている。
【００２５】
また、この動作の結果がマイクロコンピュータ２６のＲＡＭに記憶され、マイクロコンピュータ２６は、親機２から見て使用中のチャンネルと、空きチャンネルとの最新情報を常に保持するようにされている。
【００２６】
こうして、子機１および親機２の待ち受け状態が実現される。
【００２７】
［子機１から外線に発呼を行う場合］
これは、マイクロコンピュータ１６、２６により、発呼シーケンス１００が実行されて実現される。
【００２８】
すなわち、子機１および親機２が待ち受け状態にある場合に、子機１の操作キー１７のうちの通話キーを押す。すると、これにより、マイクロコンピュータ１６により送信回路１２の送信が一時的に許可されるとともに、子機１の識別コードおよび発呼要求を示すデータREQが形成され、このデータREQが送信回路１２に供給される。したがって、シーケンス１００にステップ１０１として示すように、そのデータREQが、子機１から親機２へと送信される。
【００２９】
なお、このときの送信チャンネル（上りチャンネル）は、子機１から見て、
(1) ラストチャンネルが空いていれば、ラストチャンネルを使用する。
(2) ラストチャンネルが使用中で、イニシャルチャンネルが空いていれば、そのイニシャルチャンネルを使用する。
(3) ラストチャンネルおよびイニシャルチャンネルが使用中ならば、他のチャンネルを順にチェックして空いているチャンネルを使用する。
とされる。
【００３０】
そして、このステップ１０１によりデータREQが送信されると、親機２は上記のようにすべてのチャンネルを順番にモニタしているので、あるチャンネルで子機１が送信してきたデータREQを受信することになる。
【００３１】
なお、この場合、子機１および親機２が図３の子機Ｈ2および親機Ｂ2に対応し、子機１が送信に使用した上りチャンネルが、親機２の近くの他のコードレス電話機（子機Ｈ1および親機Ｂ1）において使用されている場合もあるが、送信信号はＦＭ信号であり、しかも、その内容はデジタルのデータREQなので、親機２は、そのデータREQの内容を知ることができる。
【００３２】
そして、（図３の子機Ｈ2および親機Ｂ2の場合のように、）子機１が送信に使用した上りチャンネルが、親機２の近くの他のコードレス電話機において使用されている場合には、親機２は、そのチャンネルが使用中であることを、待ち受け時の処理により知っている。
【００３３】
そこで、この場合には、マイクロコンピュータ２６により送信回路２２の送信が許可されるとともに、その送信チャンネル（下りチャンネル）が、子機１が送信に使用した上りチャンネルと対のチャンネルとされる。
【００３４】
さらに、マイクロコンピュータ２６において、親機２の識別コードおよび子機１が送信に使用したチャンネルが使用中であることを示すデータNGACKが形成され、このデータNGACKが送信回路２２に供給される。したがって、シーケンス１００にステップ１０２として示すように、そのデータNGACKが、親機２から子機１へと送信される。
【００３５】
なお、この場合、親機２が送信に使用したチャンネルは、近くのコードレス電話機がすでに使用しているチャンネルであるが、ＦＣＣは、他のコードレス電話機が使用しているチャンネルであっても、短時間のバースト的な送信であれば、そのチャンネルでの送信を認めているので、問題はない。また、子機１にとっては、そのチャンネルはもともと空きチャンネルである。
【００３６】
そして、子機１がステップ１０２のデータNGACKを受信すると、ステップ１０１で使用したチャンネルは使用できないことが分かるので、送信チャンネル（上りチャンネル）が、子機１から見て次の空きチャンネル、例えばイニシャルチャンネルに変更され、ステップ１０３として示すように、その変更後のチャンネルを使用してデータREQが再び送信される。
【００３７】
そして、親機２がこのステップ１０３によるデータREQを受信すると、ステップ１０１の場合と同様の処理が行われ、そのチャンネルも親機２から見て使用中であれば、ステップ１０２と同様の処理が行われる。
【００３８】
こうして、子機１からデータREQの送信されてきたチャンネルが、親機２から見て空きチャンネルになるまで、ステップ１０１、１０２が繰り返される。
【００３９】
そして、今の場合、ステップ１０３で送信してきたチャンネルが、親機２から見ても空きチャンネルであるとすれば、そのチャンネルでの接続を認めるための発呼応答のデータACKが、マイクロコンピュータ２６において形成され、このデータACKが、ステップ１０４として示すように、ステップ１０３で使用されたチャンネルと対となる下りチャンネルを通じて子機１へと送信される。
【００４０】
そして、子機１がこのデータACKを受信すると、以後、そのチャンネルを使用して処理を進めることを示すデータRUNが形成され、このデータRUNがステップ１０３と同じチャンネルを通じて送信される。
【００４１】
そして、親機２がこのデータRUNを受信すると、以後回線３の閉結などの処理が行われ、子機１と親機２との間が、ステップ１０３〜１０５で使用したチャンネルを通じて接続されるとともに、親機２が回線３に接続される。
【００４２】
したがって、以後、子機１から相手の電話番号を入力すれば、その電話番号のデータが接続されたチャンネルを通じて親機２に送られ、さらに、親機２からダイヤル信号が回線３へと送り出される。そして、相手が電話に出れば、上記のように相手と通話をすることができる。
【００４３】
［外線からの着呼］
上述した子機１と親機２との処理を入れ換えることにより、子機１が他のコードレス電話機の親機の電波の到達エリア内に位置している場合でも、着呼時、親機２は子機１と接続することができる。
【００４４】
［その他］
親機２が送話器および受話器を有し、子機１と親機２との間で内線通話を行うために、子機１および親機２の一方から他方を呼び出して両者間を接続する場合にも、上述と同様の処理を行えばよい。
【００４５】
【発明の効果】
この発明によれば、親機２（あるいは子機１）が、使用中の他のコードレス電話機の子機１（あるいは親機）の電波の到達エリアにいる場合でも、子機（あるいは親機）から接続を行うことができる。
【図面の簡単な説明】
【図１】この発明の一例を示す系統図である。
【図２】接続手順の一例を示すシーケンス図である。
【図３】接続時のトラブルを説明するための図である。
【符号の説明】
１        子機
２        親機
３        電話回線
１１        送話器
１２、２２  送信回路
１３、２３  受信回路
１４        受話器
１６、２６  マイクロコンピュータ
２９        回線インターフェイス回路
【図１】
0003697732.tif 000002
【図２】
0003697732.tif 000003
【図３】
0003697732.tif 000004